(57)【要約】  【課題】  ワンタッチ選局ボタンを押下するだけで、ユーザの要望する番組を即座にディスプレイ装置に表示できるようにする機能を有するアナログ放送受信装置を提供する。  【解決手段】  ワンタッチ選局ボタンが押下されると、テレビ受像機の電源がオフしている場合には、電源をオンさせるが、既に電源がオンされている場合には、現在設定されているチャンネルをメモリに保存させる。次に、リモコンから送信されてきたキーワードがメモリに登録済みでないと判定した場合には、そのキーワードをメモリに登録させる。キーワード登録済みと判定された場合、あるいはキーワード登録処理が行われた後、電子番組表から前記特定のキーワードに該当するキーワードが検索され、検索されたキーワードに対応し優先度の高い番組が即座にディスプレイ装置に表示される。【選択図】      図５
2007043405.tif 000002
【特許請求の範囲】
【請求項１】
テレビ受像機に備えられ、アナログ放送で放送される番組の中から所望の番組を抽出す
るアナログ放送受信装置において、
ユーザが即座に視聴したい番組を検索するために、少なくとも当該番組のジャンルを指
定すると共に当該番組が放送されるチャンネルのうちの優先チャンネルを指定するための
特定のキーワードをメモリに登録しておくキーワード登録手段と、
新たに設けられたワンタッチ選局ボタンを押下した時に前記テレビ受像機の電源がオフ
している場合には電源をオンさせる電源オン手段と、
前記ワンタッチ選局ボタンが押下された時に前記テレビ受像機の電源が既にオンされて
いる場合には現在設定されているチャンネルをメモリに保存させるチャンネル保存手段と
、
前記ワンタッチ選局ボタンが押下された時に電子番組表から前記特定のキーワードに該
当するキーワードを検索するキーワード検索手段と、
前記検索したキーワードに対応し優先度の高い番組を即座にディスプレイ装置に表示さ
せる番組表示手段と、
新たに設けられたリターンボタンを押下した場合、または前記ワンタッチ選局ボタンを
リターンボタンとして機能したときの前記ワンタッチ選局ボタンを押下した場合は、表示
される番組を前記メモリに保存されている元のチャンネルの番組に戻すチャンネル戻し手
段と、
前記ワンタッチ選局ボタンの押下により複数のチャンネルが検出された場合に条件にあ
った番組を前記ディスプレイ装置にリスト表示させる番組リスト表示手段と、
前記複数のチャンネルが検出された場合に前記ワンタッチ選局ボタンを押下すると押下
回数に応じて複数のチャンネルの番組を前記ディスプレイ装置に順次表示させていく順次
表示手段と、
前記複数のチャンネルが検出された場合に、前記ワンタッチ選局ボタンを押下して表示
されたチャンネルの番組を元のチャンネルの番組に戻すために新たに設けられた前記リタ
ーンボタンが押下された時に元のチャンネルの番組に戻すリターンボタン戻し手段とを有
する制御部を備えたことを特徴とするアナログ放送受信装置。
【請求項２】
テレビ受像機に備えられ、アナログ放送で放送される番組の中から所望の番組を抽出す
るアナログ放送受信装置において、
ユーザが即座に視聴したい番組を検索するために、少なくとも当該番組のジャンルを指
定すると共に当該番組が放送されるチャンネルのうちの優先チャンネルを指定するための
特定のキーワードをメモリに登録しておくキーワード登録手段と、
新たに設けたれたワンタッチ選局ボタンが押下された時に、電子番組表から前記特定の
キーワードに該当するキーワードを検索するキーワード検索手段と、
前記検索したキーワードに対応し優先度の高い番組を即座にディスプレイ装置に表示さ
せる番組表示手段とを有する制御部を備えたことを特徴とするアナログ放送受信装置。
【請求項３】
前記制御部は、新たに設けられたワンタッチ選局ボタンを押下した時に前記テレビ受像
機の電源がオフしている場合には電源をオンさせる電源オン手段と、前記ワンタッチ選局
ボタンが押下された時に前記テレビ受像機の電源が既にオンされている場合には現在設定
されているチャンネルをメモリに保存させるチャンネル保存手段と、新たに設けられたリ
ターンボタンを押下した場合、または前記ワンタッチ選局ボタンをリターンボタンとして
機能したときの前記ワンタッチ選局ボタンを押下した場合は、表示される番組を前記メモ
リに保存されている元のチャンネルの番組に戻すチャンネル戻し手段と有することを特徴
とする請求項２に記載のアナログ放送受信装置。
【請求項４】
前記制御部は、ワンタッチ選局ボタンの押下により複数のチャンネルが検出された場合
に条件にあった番組を前記ディスプレイ装置にリスト表示させる番組リスト表示手段と、
前記複数のチャンネルが検出された場合に前記ワンタッチ選局ボタンを押下すると押下回
数に応じて複数のチャンネルの番組を前記ディスプレイ装置に順次表示させていく順次表
示手段と、前記複数のチャンネルが検出された場合に、前記ワンタッチ選局ボタンを押下
して表示されたチャンネルの番組を元のチャンネルの番組に戻すために新たに設けられた
リターンボタンが押下された時に元のチャンネルの番組に戻すリターンボタン戻し手段と
を有することを特徴とする請求項２または請求項３に記載のアナログ放送受信装置。
【発明の詳細な説明】
【技術分野】
【０００１】
本発明は、テレビ受像機に備えられ、アナログ放送で放送される番組の中から所望の番
組を抽出するアナログ放送受信装置に関する。
【背景技術】
【０００２】
アナログ放送を受信する既存のテレビ受像機には、アナログ放送で放送される番組の中
から所望の番組を抽出するアナログ放送受信装置が搭載されている。このようなテレビ受
像機に備えられる従来のアナログ放送受信装置は、アナログテレビ放送局からのアナログ
放送電波を受信して所望のチャンネルの高周波信号を増幅して中間周波数信号に変換して
中間周波数の映像音声信号を出力するチューナと、このチューナからの中間周波数の映像
信号を増幅して検波して映像信号を生成する処理を行うと共に同じくチューナからの中間
周波数の音声信号を増幅して検波して音声信号を生成する処理を行って映像インターフェ
イスを介して映像信号を出力すると共に音声インターフェイスを介して音声信号を出力す
る映像音声処理回路とを備えている。
【０００３】
映像インターフェイスからの映像信号は、テレビ受像機のディスプレイ装置が表示動作
できるように増幅され出力される映像出力回路に供給される。音声インターフェイスから
の音声信号は、テレビ受像機のスピーカが音声出力動作できるように増幅され出力される
音声出力回路に供給される。
【０００４】
また、このアナログ放送受信装置は、テレビ受像機の各構成要素を制御する制御部と、
この制御部の動作に必要な情報を記憶するメモリと、リモコンからの赤外線信号を受信し
て電気信号に変換して制御部に供給するリモコンレシーバと、特定の放送局から送られて
きた電子番組表の番組情報データを入力して番組情報を解析する番組情報解析手段と備え
ている。なお、番組情報解析手段に入力される電子番組表の番組情報データは、インター
ネットからの電子番組表の番組情報データでも良い。
【特許文献１】特開２００２−１１２１３２号公報
【特許文献２】特開２００３−１７９８２９号公報
【発明の開示】
【発明が解決しようとする課題】
【０００５】
以上説明したように、従来のアナログ放送受信装置は、リモコンの操作によって選局さ
れた番組を抽出するように構成されているが、ユーザが特定の番組を視聴したい場合、電
子番組表や、テレビ番組の雑誌、あるいは新聞の番組表などを調べて、特定の番組を視聴
できるようにリモコンを操作しなければならないので、ユーザにとっては手間がかかり、
即座には特定の番組を視聴することができないという課題が生じる。
【０００６】
なお、特許文献１の従来技術では、ジャンル、放送時間、料金などの番組の複数の属性
についてはユーザが設定した優先度をメモリに記憶し、アンテナによって受信された電子
番組情報に含まれる各番組について、ＣＰＵにより、メモリに記憶された優先度に基づい
てユーザの複数の要望に沿っているか否かを総合的に判断し、よりユーザの要望に近い番
組を抽出してテレビ受像機のディスプレイ装置に一覧表示するようにしているが、リモコ
ンを操作してユーザの要望する番組を即座に表示できるようにしているわけではないので
、上記のような課題を解決することができない。また、この従来技術は、アナログ放送受
信装置ではなく、デジタル放送受信装置に関するものである。
【０００７】
また、特許文献２の従来技術は、記憶手段に記憶された放送番組情報を、検索条件に対
応して検索するようにし、所定の検索条件を入力することで、所望の放送番組情報の録画
予約を可能にしているものであり、リモコンを操作してユーザの要望する番組を即座に表
示できるようにしているわけではないので、上記のような課題を解決することができない
。また、この従来技術は、衛星を介して伝送される放送番組情報を検索する番組情報検索
システムであり、アナログの地上波を受信するアナログ放送受信装置に関するものではな
い。
【０００８】
本発明は、上記のような課題を解決するためになされたもので、ワンタッチ選局ボタン
を押下するだけで、ユーザの要望する番組を即座にディスプレイ装置に表示できるように
する機能を有するアナログ放送受信装置を提供することを目的とする。
【課題を解決するための手段】
【０００９】
上記目的を達成するために、請求項１の発明は、テレビ受像機に備えられ、アナログ放
送で放送される番組の中から所望の番組を抽出するアナログ放送受信装置において、ユー
ザが即座に視聴したい番組を検索するために、少なくとも当該番組のジャンルを指定する
と共に当該番組が放送されるチャンネルのうちの優先チャンネルを指定するための特定の
キーワードをメモリに登録しておくキーワード登録手段と、新たに設けられたワンタッチ
選局ボタンを押下した時に前記テレビ受像機の電源がオフしている場合には電源をオンさ
せる電源オン手段と、前記ワンタッチ選局ボタンが押下された時に前記テレビ受像機の電
源が既にオンされている場合には現在設定されているチャンネルをメモリに保存させるチ
ャンネル保存手段と、前記ワンタッチ選局ボタンが押下された時に電子番組表から前記特
定のキーワードに該当するキーワードを検索するキーワード検索手段と、前記検索したキ
ーワードに対応し優先度の高い番組を即座にディスプレイ装置に表示させる番組表示手段
と、新たに設けられたリターンボタンを押下した場合、または前記ワンタッチ選局ボタン
をリターンボタンとして機能したときの前記ワンタッチ選局ボタンを押下した場合は、表
示される番組を前記メモリに保存されている元のチャンネルの番組に戻すチャンネル戻し
手段と、前記ワンタッチ選局ボタンの押下により複数のチャンネルが検出された場合に条
件にあった番組を前記ディスプレイ装置にリスト表示させる番組リスト表示手段と、前記
複数のチャンネルが検出された場合に前記ワンタッチ選局ボタンを押下すると押下回数に
応じて複数のチャンネルの番組を前記ディスプレイ装置に順次表示させていく順次表示手
段と、前記複数のチャンネルが検出された場合に、前記ワンタッチ選局ボタンを押下して
表示されたチャンネルの番組を元のチャンネルの番組に戻すために新たに設けられた前記
リターンボタンが押下された時に元のチャンネルの番組に戻すリターンボタン戻し手段と
を有する制御部を備えたことを特徴とするアナログ放送受信装置を提供する。
【００１０】
この構成において、ワンタッチ選局ボタンが押下されると、制御部の電源オン手段は、
テレビ受像機の電源がオフしている場合には、電源をオンさせるが、既に電源がオンされ
ている場合には、制御部のチャンネル保存手段は、現在設定されているチャンネルをメモ
リに保存させる。次に、制御部は、リモコンから送信されてきたキーワードがメモリに登
録済みでないと判定した場合には、キーワード登録手段により、そのキーワードをメモリ
に登録させる。キーワード登録済みと判定された場合、あるいはキーワード登録処理が行
われた後、制御部は、キーワード検索手段により、電子番組表から前記特定のキーワード
に該当するキーワードを検索する。
【００１１】
次に、制御部は、前記検索したキーワードに対応し優先度の高い番組を即座に番組表示
手段によりディスプレイ装置に表示させる。ここで、リターンボタンが押下されると、制
御部のチャンネル戻し手段は、表示する番組をメモリに保存していたチャンネルの番組に
戻す。また、ワンタッチ選局ボタンの押下により複数のチャンネルが検出された場合には
、条件にあった番組が番組リスト表示手段によりディスプレイ装置にリスト表示される。
このリスト表示された番組の中から視聴したい番組を選択すると、その番組が即座にディ
スプレイ装置に表示される。
【００１２】
この構成によれば、ある番組を視聴している際中でも、ワンタッチ選局ボタンを押下す
るだけで、ユーザの要望する番組を即座にディスプレイ装置に表示できるようになり、ま
た、リターンボタンを押下、あるいは場合によってはワンタッチ選局ボタンをもう一回押
下することにより、即座に元の番組に切り換わり、元の番組の続きを視聴でき、ユーザに
とっては、便利で使い勝手が非常に良いものとなる。
【００１３】
請求項２の発明は、テレビ受像機に備えられ、アナログ放送で放送される番組の中から
所望の番組を抽出するアナログ放送受信装置において、ユーザが即座に視聴したい番組を
検索するために、少なくとも当該番組のジャンルを指定すると共に当該番組が放送される
チャンネルのうちの優先チャンネルを指定するための特定のキーワードをメモリに登録し
ておくキーワード登録手段と、新たに設けたれたワンタッチ選局ボタンが押下された時に
、電子番組表から前記特定のキーワードに該当するキーワードを検索するキーワード検索
手段と、前記検索したキーワードに対応し優先度の高い番組を即座にディスプレイ装置に
表示させる番組表示手段とを有する制御部を備えたことを特徴とするアナログ放送受信装
置を提供する。
【００１４】
この構成において、ワンタッチ選局ボタンが押下されると、メモリに登録された特定の
キーワードに該当するキーワードが電子番組表から検索され、この検索されたキーワード
に対応し優先度の高い番組が即座にディスプレイ装置に表示される。
【００１５】
この構成によれば、ある番組を視聴している際中でも、ワンタッチ選局ボタンを押下す
るだけで、ユーザの要望する番組を即座にディスプレイ装置に表示できるようになり、ユ
ーザにとっては、便利で使い勝手が良いものとなる。
【００１６】
請求項３の発明では、請求項２の発明において、前記制御部は、新たに設けられたワン
タッチ選局ボタンを押下した時にテレビ受像機の電源がオフしている場合には電源をオン
させる電源オン手段と、前記ワンタッチ選局ボタンが押下された時にテレビ受像機の電源
が既にオンされている場合には現在設定されているチャンネルをメモリに保存させるチャ
ンネル保存手段と、新たに設けられたリターンボタンを押下した場合、または前記ワンタ
ッチ選局ボタンをリターンボタンとして機能したときの前記ワンタッチ選局ボタンを押下
した場合は、表示される番組を前記メモリに保存されている元のチャンネルの番組に戻す
チャンネル戻し手段と有する。
【００１７】
したがって、前記制御部は、新たに設けられたワンタッチ選局ボタンを押下した時、テ
レビ受像機の電源がオフしている場合には電源をオンさせることにより、直ぐにテレビ受
像機を駆動でき、前記ワンタッチ選局ボタンが押下された時にテレビ受像機の電源が既に
オンされている場合には、現在設定されているチャンネルをメモリに保存させ、新たに設
けられたリターンボタンを押下した場合、または前記ワンタッチ選局ボタンをリターンボ
タンとして機能したときの前記ワンタッチ選局ボタンを押下した場合は、表示される番組
をメモリに保存されている元のチャンネルの番組に戻すことができる。
【００１８】
請求項４の発明では、請求項２または３の発明において、前記制御部は、ワンタッチ選
局ボタンの押下により複数のチャンネルが検出された場合に条件にあった番組をディスプ
レイ装置にリスト表示させる番組リスト表示手段と、前記複数のチャンネルが検出された
場合に前記ワンタッチ選局ボタンを押下すると押下回数に応じて複数のチャンネルの番組
を前記ディスプレイ装置に順次表示させていく順次表示手段と、前記複数のチャンネルが
検出された場合に、前記ワンタッチ選局ボタンを押下して表示されたチャンネルの番組を
元のチャンネルの番組に戻すために新たに設けられたリターンボタンが押下された時に元
のチャンネルの番組に戻すリターンボタン戻し手段とを有する。
【００１９】
したがって、前記制御部は、ワンタッチ選局ボタンの押下により複数のチャンネルが検
出された場合に、条件にあった番組をディスプレイ装置にリスト表示さることができ、ま
た、前記ワンタッチ選局ボタンを押下すると押下回数に応じて複数のチャンネルの番組を
ディスプレイ装置に順次表示させることができ、また、リターンボタンが押下された時に
、元のチャンネルの番組に戻すことができる。
【発明の効果】
【００２０】
以上のように本発明によれば、テレビ受像機に備えられ、アナログ放送で放送される番
組の中から所望の番組を抽出するアナログ放送受信装置において、ユーザが即座に視聴し
たい番組を検索するために、少なくとも当該番組のジャンルを指定すると共に当該番組が
放送されるチャンネルのうちの優先チャンネルを指定するための特定のキーワードをメモ
リに登録しておくキーワード登録手段と、新たに設けられたワンタッチ選局ボタンを押下
した時に前記テレビ受像機の電源がオフしている場合には電源をオンさせる電源オン手段
と、前記ワンタッチ選局ボタンが押下された時に前記テレビ受像機の電源が既にオンされ
ている場合には現在設定されているチャンネルをメモリに保存させるチャンネル保存手段
と、前記ワンタッチ選局ボタンが押下された時に電子番組表から前記特定のキーワードに
該当するキーワードを検索するキーワード検索手段と、前記検索したキーワードに対応し
優先度の高い番組を即座にディスプレイ装置に表示させる番組表示手段と、新たに設けら
れたリターンボタンを押下した場合、または前記ワンタッチ選局ボタンをリターンボタン
として機能したときの前記ワンタッチ選局ボタンを押下した場合は、表示される番組を前
記メモリに保存されている元のチャンネルの番組に戻すチャンネル戻し手段と、前記ワン
タッチ選局ボタンの押下により複数のチャンネルが検出された場合に条件にあった番組を
前記ディスプレイ装置にリスト表示させる番組リスト表示手段と、前記複数のチャンネル
が検出された場合に前記ワンタッチ選局ボタンを押下すると押下回数に応じて複数のチャ
ンネルの番組を前記ディスプレイ装置に順次表示させていく順次表示手段と、前記複数の
チャンネルが検出された場合に、前記ワンタッチ選局ボタンを押下して表示されたチャン
ネルの番組を元のチャンネルの番組に戻すために新たに設けられた前記リターンボタンが
押下された時に元のチャンネルの番組に戻すリターンボタン戻し手段とを有する制御部を
備えたので、ある番組を視聴している際中でも、ワンタッチ選局ボタンを押下するだけで
、ユーザの要望する番組を即座にディスプレイ装置に表示できるようになり、また、リタ
ーンボタンを押下、あるいは場合によってはワンタッチ選局ボタンをもう一回押下するこ
とにより、即座に元の番組に切り換わり、元の番組の続きを視聴でき、ユーザにとっては
、便利で使い勝手が非常に良いものとなる。
【００２１】
また、本発明によれば、テレビ受像機に備えられ、アナログ放送で放送される番組の中
から所望の番組を抽出するアナログ放送受信装置において、ユーザが即座に視聴したい番
組を検索するために、少なくとも当該番組のジャンルを指定すると共に当該番組が放送さ
れるチャンネルのうちの優先チャンネルを指定するための特定のキーワードをメモリに登
録しておくキーワード登録手段と、新たに設けたれたワンタッチ選局ボタンが押下された
時に、電子番組表から前記特定のキーワードに該当するキーワードを検索するキーワード
検索手段と、前記検索したキーワードに対応し優先度の高い番組を即座にディスプレイ装
置に表示させる番組表示手段とを有する制御部を備えたので、ある番組を視聴している際
中でも、ワンタッチ選局ボタンを押下するだけで、ユーザの要望する番組を即座にディス
プレイ装置に表示できるようになり、ユーザにとっては、便利で使い勝手が良いものとな
る。
【発明を実施するための最良の形態】
【００２２】
以下、添付図面を参照しつつ、本発明の実施の形態について説明する。図１は本発明の
一実施形態に係るアナログ放送受信装置の構成を示すブロック図である。
【００２３】
図１において、このアナログ放送受信装置１は、テレビ受像機１００に搭載されている
。このアナログ放送受信装置１は、アナログテレビ放送局からのアナログ放送電波を受信
して所望のチャンネルの高周波信号を増幅して中間周波数信号に変換して中間周波数の映
像音声信号を出力するチューナ２と、このチューナ２からの中間周波数の映像信号を増幅
して検波して映像信号を生成する処理を行うと共に同じくチューナ２からの中間周波数の
音声信号を増幅して検波して音声信号を生成する処理を行って映像インターフェイス３１
を介して映像信号を出力すると共に音声インターフェイス３２を介して音声信号を出力す
る映像音声処理回路３とを備えている。
【００２４】
映像インターフェイス３１からの映像信号は、テレビ受像機１００のディスプレイ装置
１１が表示動作できるように増幅され出力される映像出力回路９に供給される。音声イン
ターフェイス３２からの音声信号は、テレビ受像機１００のスピーカ１２が音声出力動作
できるように増幅され出力される音声出力回路１０に供給される。
【００２５】
また、このアナログ放送受信装置１は、テレビ受像機１００の各構成要素を制御する制
御部４と、この制御部４の動作に必要な情報を記憶するメモリ５と、リモコン８からの赤
外線信号を受信して電気信号に変換して制御部４に供給するリモコンレシーバ６と、特定
の放送局から送られてきた電子番組表の番組情報データを入力して番組情報を解析する番
組情報解析手段７と備えている。なお、番組情報解析手段７に入力される番組情報データ
は、インターネットからの電子番組表の番組情報データでも良い。
【００２６】
制御部４は、本実施形態の特徴として、ユーザが即座に視聴したい番組を検索するため
に、少なくとも当該番組のジャンルを指定すると共に当該番組が放送されるチャンネルの
うちの優先チャンネルを指定するための特定のキーワードをメモリ５に登録しておくキー
ワード登録手段４１と、例えばリモコン８に新たに設けられたワンタッチ選局ボタン９３
（図２参照）を押下した時にテレビ受像機１００の電源１３がオフしている場合には電源
１４をオンさせる電源オン手段４２と、前記ワンタッチ選局ボタン９３が押下された時に
テレビ受像機１００の電源１３が既にオンされている場合には現在設定されているチャン
ネルをメモリ５に保存させるチャンネル保存手段４３と、前記ワンタッチ選局ボタン９３
が押下された時に電子番組表から前記特定のキーワードに該当するキーワードを検索する
キーワード検索手段４４とを有する。
【００２７】
また、制御部４は、前記検索したキーワードに対応し優先度の高い番組を即座にディス
プレイ装置１１に表示させる番組表示手段４５と、例えばリモコン８に新たに設けられた
リターンボタン９４（図２参照）を押下した場合、または前記ワンタッチ選局ボタン９３
をリターンボタンとして機能したときの前記ワンタッチ選局ボタン９３を押下した場合は
、表示される番組をメモリ５に保存されている元のチャンネルの番組に戻すチャンネル戻
し手段４６とを有する。
【００２８】
更に、制御部４は、前記ワンタッチ選局ボタン９３の押下により複数のチャンネルが検
出された場合に、条件にあった番組をディスプレイ装置１１にリスト表示させる番組リス
ト表示手段４７と、前記複数のチャンネルが検出された場合に前記ワンタッチ選局ボタン
９３を押下すると押下回数に応じて複数のチャンネルの番組をディスプレイ装置１１に順
次表示させていく順次表示手段４８と、前記複数のチャンネルが検出された場合に、前記
ワンタッチ選局ボタン９３を押下して表示されたチャンネルの番組を元のチャンネルの番
組に戻すために新たに設けられたリターンボタン９４が押下された時に元のチャンネルの
番組に戻すリターンボタン戻し手段４９とを有する。
【００２９】
図２は本実施形態においてリモコンの操作ボタンの配置の一例を簡略化して示した構成
図である。図２において、リモコン８は、電源ボタン８１、数字ボタン８２、上方向ボタ
ン８３、下方向ボタン８４、左方向ボタン８５、右方向ボタン８６、決定ボタン８７、音
声切換ボタン８８、消音ボタン８９、音量小ボタン９０、音量大ボタン９１、番組表表示
ボタン９２、ワンタッチ選局ボタン９３、リターンボタン９４、その他複数の操作ボタン
を有する。ここで、特に、ワンタッチ選局ボタン９３およびリターンボタン９４は、本実
施形態において新たに設けられた操作ボタンである。
【００３０】
図３は本実施形態においてワンタッチ選局ボタンを押下した時に番組（番組ジャンルが
野球）が表示される優先順位の一例を説明するための図である。図３において、優先度１
の番組はテレビ局Ａで放送される野球ａ戦であり、優先度２の番組はテレビ局Ｂで放送さ
れる同じく野球戦ａである。優先度３の番組はテレビ局Ｃで放送される野球ｂ戦であり、
優先度４の番組はテレビ局Ｄで放送される野球ｆ戦である。これらの優先度と番組名とテ
レビ局名との対応関係を示すテーブル３１の内容は、ユーザがリモコン８を操作すること
により設定され、そのテーブル３１はメモリ５に記憶されるようになっている。
【００３１】
図４は本実施形態においてワンタッチ選局ボタンを押下した時に番組（番組ジャンルが
サッカー）が表示される優先順位の一例を説明するための図である。図４において、優先
度１の番組はテレビ局Ｅで放送されるサッカーｄ戦であり、優先度２の番組はテレビ局Ｆ
で放送される同じくサッカーｄ戦である。優先度３の番組はテレビ局Ｇで放送されるサッ
カーｅ戦であり、優先度４の番組はテレビ局Ｈで放送されるサッカー戦ｇである。これら
の優先度と番組名とテレビ局名との対応関係を示すテーブル４１の内容も、ユーザがリモ
コン８を操作することにより設定され、そのテーブル４１もメモリ５に記憶されるように
なっている。
【００３２】
なお、図３および図４に示すように、各ジャンルにおいて優先度を決めた例を説明した
が、複数のジャンルからユーザが即座に視聴したいジャンル自体に優先度を設定しても良
い。例えば、野球放送の番組を優先度１に設定し、サッカー放送の番組を優先度２に設定
すれば、ワンタッチ選局ボタン９３を押下すれば、野球放送が、この時点で放送中であれ
ば、野球放送の番組を即座にテレビ受像機１００のディスプレイ装置１１に表示させるこ
とができる。
【００３３】
図５は本実施形態においてワンタッチ選局ボタンを押下した場合の処理を説明するため
のフローチャートである。このフローチャートおよび図１〜図４を参照してワンタッチ選
局ボタンを押下した場合の処理について説明する。
【００３４】
ユーザが希望する番組を直ぐに視聴したい場合、例えばリモコン８のワンタッチ選局ボ
タン９３を押下すれば良い。なお、図示しない本体操作部に同様な機能を有するワンタッ
チ選局ボタンが設けられている場合は、このワンタッチ選局ボタンを押下しても良い。
【００３５】
例えば、リモコン８のワンタッチ選局ボタン９３が押下されると（ステップＳ１）、リ
モコン８からは特定のキーワードを示す赤外線信号が出力され、その赤外線信号を受信し
たリモコンレシーバ６は、その赤外線信号を電気信号に変換し、制御部４に入力する。こ
れに応答して、制御部４の電源オン手段４２は、テレビ受像機１００の電源１３がオフし
ている場合には（ステップＳ２）、電源１３をオンさせるが（ステップＳ３）、既に電源
１３がオンされている場合には（ステップＳ２）、制御部４のチャンネル保存手段４３は
、チューナ２で現在設定されているチャンネル（例えばドラマを放送しているチャンネル
）をメモリ５に保存させる（ステップＳ４）。
【００３６】
次に、制御部４は、リモコン８から送信されてきたキーワードがメモリ５に登録済みで
あるか否かを判定し（ステップＳ５）、登録済みでないと判定した場合には、キーワード
登録手段４１により、そのキーワードをメモリ５に登録させる（ステップＳ６）。このキ
ーワードとは、ユーザがリモコン８のワンタッチ選局ボタン９３の操作で直ぐに視聴した
い番組のジャンルを指定すると共に、その番組が放送されるチャンネルのうちの優先チャ
ンネルなどを指定するための特定のキーワードのことを言う。
【００３７】
キーワード登録済みと判定された場合（ステップＳ５）、あるいはキーワード登録処理
（ステップＳ６）が行われた後、制御部４は、電子番組表（番組情報データ）を取得済み
であるか否かを判定し（ステップＳ７）、電子番組表を取得済みでないと判定した場合に
は、アンテナを介して特定のテレビ放送局やインターネットなどから電子番組表を取得す
る（ステップＳ８）。電子番組表を取得済みと判定された場合（ステップＳ７）、あるい
は電子番組表を取得した（ステップＳ８）後、制御部４は、キーワード検索手段４４によ
り、前記電子番組表から前記特定のキーワードに該当するキーワードを検索する（ステッ
プＳ９）。なお、ここで複数のキーワードが検索され、複数のチャンネルが検出された場
合は、制御部４の番組リスト表示手段４７は、複数のチャンネルの番組リストをディスプ
レイ装置１１に表示させる。
【００３８】
次に、制御部４は、チューナ２からの情報により、現在、前記登録されたキーワードの
番組を放送中であるか否かを判定し（ステップＳ１０）、放送中でなければ、関連番組を
検索する（ステップＳ１１）。例えば、図３に示すように、メモリ５に優先度１で登録さ
れたキーワードの番組がテレビ局Ａの野球ａ戦であり、この番組が現在放送中でなければ
、制御部４は、優先度２のテレビ局Ｂの野球ａ戦などを検索する。
【００３９】
登録されたキーワードの番組を放送中であると判定された場合（ステップＳ１０）、あ
るいは関連番組が検索された（ステップＳ１１）後、制御部４は、前記検索したキーワー
ドに対応し優先度の高い番組を即座に番組表示手段４５によりディスプレイ装置１１に表
示させる。即ち、制御部４は、登録されたキーワードの番組が放送中であれば（例えば、
図３に示すように、優先度１の野球ａ戦がテレビ局Ａで放送中であれば）、番組表示手段
４５は、優先度の高い番組、この場合、テレビ局Ａの野球ａ戦を即座にディスプレイ装置
１１に表示させる（ステップＳ１２）。
【００４０】
一方、野球ａ戦がテレビ局Ａで放送中でなければ（ステップＳ１０）、関連番組を検索
するが、その関連番組が、例えば、図３に示すように、優先度２の野球ａ戦、優先度３の
野球ｂ戦、優先度４の野球ｆ戦などがあり、優先度３の野球ｂ戦と優先度４の野球ｆ戦と
が放送中であった場合には、制御部４は、優先度の高い方の番組であるテレビ局Ｃの野球
ｂ戦を即座にディスプレイ装置１１に表示させる（ステップＳ１２）。
【００４１】
ここで、リターンボタン９４が押下されると（ステップＳ１３）、制御部４は、ディス
プレイ装置１１に表示する番組を、メモリ５に保存していたチャンネルの番組に戻す（ス
テップＳ１４）。一方、リターンボタン９４が押下されず（ステップＳ１３）、ワンタッ
チ選局ボタン９３が押下されると（ステップＳ１５）、メモリ５に登録されている別のジ
ャンルの番組が表示される。
【００４２】
例えば、野球放送の番組がジャンルの優先度１に設定され、サッカー放送の番組がジャ
ンルの優先度２に設定されていれば、ステップＳ１５においてワンタッチ選局ボタン９３
が押下されると、サッカー放送が、この時点で放送中であれば、野球番組に代わってサッ
カー番組が即座にテレビ受像機１００のディスプレイ装置１１に表示されることになる。
【００４３】
ワンタッチ選局ボタン９３で即座に表示したい番組が、例えば、図３および図４に示す
ように、野球戦とサッカー戦のように複数個あり、これらの番組名がメモリ５に登録され
ていた場合には、ワンタッチ選局ボタン９３は、押下回数に応じて表示したい番組をシフ
トさせていく。例えば、１回ワンタッチ選局ボタン９３を押下すると、ジャンルの優先度
１の野球番組が表示され、続いて１回押下すると、ジャンルの優先度２のサッカー番組が
表示される。
【００４４】
なお、ステップＳ１３の処理において、リターンボタン９４を押下する代わりにワンタ
ッチ選局ボタン９３を押下すると、ステップＳ１４の処理に移る場合がある。それは、ユ
ーザが即座に視聴したい番組が一つの場合で、この一つの番組を特定するためのキーワー
ドが一つだけメモリ５に登録されていると、ワンタッチ選局ボタン９３を一回押下したと
きは、その一つの番組がディスプレイ装置１１に即座に表示され、引き続きワンタッチ選
局ボタン９３を押下すると、ワンタッチ選局ボタン９３が押下される前の元の番組（例え
ばドラマの続き）が表示されることになる。
【００４５】
以上のような処理は、テレビ受像機１００の電源１３がオフされるまで実行され（ステ
ップＳ１６）、電源１３がオフされると本処理は終了する。
【００４６】
以上説明したように本実施形態によれば、ユーザが、例えば、あるドラマを視聴してい
る際中に、ある野球の試合状況が気になった時に、その野球を放送しているチャンネルを
探し出すことなくリモコン８のワンタッチ選局ボタン９３を押下することにより、即座に
野球放送の番組に切り換わるので、野球の試合状況を直ぐに知ることができ、また、リモ
コン８のリターンボタン９４を押下、あるいは場合によってはワンタッチ選局ボタン９３
をもう一回押下することにより、即座に元のドラマの番組に切り換わり、ドラマの続きを
視聴でき、ユーザにとっては、便利で使い勝手が非常に良いものとなる。
【図面の簡単な説明】
【００４７】
【図１】本発明の一実施形態に係るアナログ放送受信装置の構成を示すブロック図である。
【図２】前記実施形態においてリモコンの操作ボタンの配置の一例を簡略化して示した構成図である。
【図３】前記実施形態においてワンタッチ選局ボタンを押下した時に番組（番組ジャンルが野球）が表示される優先順位の一例を説明するための図である。
【図４】前記実施形態においてワンタッチ選局ボタンを押下した時に番組（番組ジャンルがサッカー）が表示される優先順位の一例を説明するための図である。
【図５】前記実施形態においてワンタッチ選局ボタンを押下した場合の処理を説明するためのフローチャートである。
【符号の説明】
【００４８】
１    アナログ放送受信装置
４    制御部
５    メモリ
７    番組情報解析手段
１１    ディスプレイ装置
１３    電源
４１    キーワード登録手段
４２    電源オン手段
４３    チャンネル保存手段
４４    キーワード検索手段
４５    番組表示手段
４６    チャンネル戻し手段
４７    番組リスト表示手段
４８    順次表示手段
４９    リターンボタン戻し手段
９３    ワンタッチ選局ボタン
９４    リターンボタン
１００    テレビ受像機
【図１】
2007043405.tif 000003
【図２】
2007043405.tif 000004
【図３】
2007043405.tif 000005
【図４】
2007043405.tif 000006
【図５】
2007043405.tif 000007